(57)【要約】【課題】初学者、高齢者や手指の操作が不自由な者、視覚障がい者等でも利用が容易な辞書を提供する。【解決手段】単語が有限の文字要素で表記可能な言語における、前記文字要素からなる複数の単語を一定の基準で順序づけて配置した辞書において、語頭の文字要素が所定の条件を満たす単語の集合を検索容易な部分集合に分割するとともに各部分集合の代表単語またはその部分と、前記集合内における前記代表単語またはその部分の存在位置を一覧表示したことを特徴とする索引。【選択図】図１
2018081659.tif 000002
【特許請求の範囲】
【請求項１】
単語が有限の文字要素で表記可能な言語における、前記文字要素からなる複数の単語を一定の基準で順序づけて配置した辞書において、語頭の文字要素が所定の条件を満たす単語の集合を検索容易な部分集合に分割するとともに各部分集合の代表単語またはその部分と、前記集合内における前記代表単語またはその部分の存在位置を一覧表示したことを特徴とする索引。
【請求項２】
前記分割が母音字基準で行われることを含む請求項１に記載の索引。
【請求項３】
前記存在位置の表示が頁数及び／または割合表示でなされる請求項１または２に記載の索引。
【請求項４】
請求項１〜３のいずれかに記載の索引を含む辞書。
【請求項５】
前記部分集合の要素に対応する表示を小口及び／または小口近傍の紙面に設けた請求項４に記載の辞書。
【請求項６】
索引の全部または一部が検索結果画面として電子的に表示される電子辞書またはアプリである請求項４に記載の辞書。
【請求項７】
請求項６に記載の電子辞書またはアプリを含む単語入力手段。
【発明の詳細な説明】
【技術分野】
【０００１】  本発明は、辞書検索を容易にする索引、それを利用した辞書及び単語入力手段に関する。
【背景技術】
【０００２】  従来、辞書の単語検索では、調べようとする単語（以下、「検索語」という）の先頭文字のインデックスタグを開き、ソートされて並んだ単語群の中を探す方法が採られる。この場合、検索語がインデックスタグ内のどの位置にあるかは単純には予想できない。【０００３】  例えば、”ｉｎｖｅｎｔｉｏｎ”という単語を英和辞書で検索しようという場合、先頭文字のインデックスタグ（通常、辞書の横の面（「小口」）に「Ａ」から順に「Ｂ」、「Ｃ」と印刷されているもの。”ｉｎｖｅｎｔｉｏｎ”の場合は”Ｉ”）のみを頼りとして、ページを繰って”ｉｎｖｅｎｔｉｏｎ”にたどり着かなければならない。”ｉｎｖｅｎｔｉｏｎ”では”ｉ”の次の文字が”ｎ”であるため、”ｉａ”→”ｉｂ”→”ｉｃ”→・・・”ｉｎ”にまずたどり着き、次に”ｎ”の次の文字が”ｖ”であるため、”ｉｎａ”→”ｉｎｂ”→”ｉｎｃ”→・・・”ｉｎｖ”と進むことになるが、そのためには非常に時間が掛かる。【０００４】  ”ｎ”がアルファベットの１４文字目であることからインデックスタグ”Ｉ”のページ群のうち、１４／２６で約半分程度であろうと予測してその辺りを開いて調べれば、多少は効率が上がるが、実際には、文字の使用頻度は均一ではないから、”ｉｎ”がインデックスタグ”Ｉ”に含まれる単語群のうち１４／２６の位置にあるとは限らないし、また、仮にそうであったとしても、そもそも”ｎ”がアルファベットの１４文字目であると瞬時に思いつく者は少ないから、結局、この方法も容易なものではない。さらに、”ｉｎ”で始まる語は膨大な数があり、”ｉｎｖ”に、さらに”ｉｎｖｅｎｔｉｏｎ”にたどり着くのは容易なことではない。【０００５】  これは英語の辞書に限ったことではない。例えば、外国人が日本語の辞書で「発明」を検索しようと思った場合、先頭文字のインデックスタグの中からページを繰って「はつめい」にたどり着かなければならない。また、「小口」には「あ」から順に「い」、「う」と印刷されているので、「は」の部分にたどり着くのは比較的容易であるが、そこから先は辞書の各ページの小口近くに印刷された見出し文字をたどって行くことになる。外国人は五十音の位置を正確に把握しているわけではないから「は」の中で「はつ」がどのあたりにあるかは容易に想到できない。【０００６】  このような問題は電子辞書であれば軽減されるようにも思われる。しかし、教育現場では電子辞書ではなく紙書籍の辞書を使用させる場合も少なくないし、検索したい辞書について常にその電子版が利用できるとは限らない。また、電子辞書では、基本的に、順に文字を入力しなければならないため、文字入力に時間が掛かるうえ、高齢者や手指の操作が不自由な者、視覚障がい者等では現在の電子辞書は利用が難しい。このことは文章を記述する際の単語入力でも同様である。
【発明の概要】
【発明が解決しようとする課題】
【０００７】  本発明の目的は、このような従来の辞書における問題の解決を意図したものであり、辞書検索を容易にする索引、それを利用した辞書及び単語入力手段を提供することにある。
【課題を解決するための手段】
【０００８】  本発明者は、このような問題を解決すべく鋭意検討を続けた結果、下記の構成により上記課題を解決できることを見出し、本発明を完成するに至った。
［１］単語が有限の文字要素で表記可能な言語における、前記文字要素からなる複数の単語を一定の基準で順序づけて配置した辞書において、語頭の文字要素が所定の条件を満たす単語の集合を検索容易な部分集合に分割するとともに各部分集合の代表単語またはその部分と、前記集合内における前記代表単語またはその部分の存在位置を一覧表示したことを特徴とする索引。
［２］前記分割が母音字基準で行われることを含む前記［１］に記載の索引。
［３］前記存在位置の表示が頁数及び／または割合表示でなされる前記［１］または［２］に記載の索引。
［４］前記［１］〜［３］のいずれかに記載の索引を含む辞書。
［５］前記部分集合の要素に対応する表示を小口及び／または小口近傍の紙面に設けた前記［４］に記載の辞書。
［６］索引の全部または一部が検索画面として電子的に表示される電子辞書またはアプリである前記［４］に記載の辞書。
［７］前記［６］に記載の電子辞書またはアプリを含む文字入力手段。
【発明の効果】
【０００９】  本発明によれば、辞書検索を容易にする索引、それを利用した検索が容易な辞書及び障がい者等でも入力が容易な単語入力手段を提供する。
【図面の簡単な説明】
【００１０】
【図１】  本発明の索引の一例を示す模式図である。
【図２】  本発明の索引で用いる母音字基準を説明する模式図である。
【図３】  本発明の索引及び入力方法の一態様を示す模式図である。
【図４】  本発明の索引及び入力方法の一態様を示す模式図である。
【図５】  本発明の索引及び入力方法による索引型入力装置における表示の一態様を示す模式図である。
【図６】  本発明の索引及び入力方法による索引型入力装置における表示の一態様を示す模式図である。
【図７】  本発明の索引と従来検索との辞典検索効率を比較したグラフである。
【図８】  本発明による日本語辞書索引の一例を示す模式図である。
【図９】  本発明による中国語辞書索引の一例を示す模式図である。
【発明を実施するための形態】
【００１１】  以下、本発明を更に詳細に説明する。
本発明の第一の態様は、単語が有限の文字要素で表記可能な言語における、前記文字要素からなる複数の単語を一定の基準で順序づけて配置した辞書において、語頭の文字要素が所定の条件を満たす単語の集合を検索容易な部分集合に分割するとともに各部分集合の代表単語またはその部分と、前記集合内における前記代表単語またはその部分の存在位置を一覧表示したことを特徴とする索引である。
【００１２】  ここで、「単語が有限の文字要素で表記可能な言語」とは、表音文字であれ表意文字であれ、有限個の文字要素によって単語が表記可能な言語である。例えば、現代英語は２６文字の文字要素（アルファベット）で単語が表記可能な言語であり、日本語は片仮名または平仮名で単語が表記可能な言語である。日本語の場合、現実の表記は平仮名（または片仮名）の他に漢字や外国文字（例えば、アルファベット）を用いて行われるが、漢字については音読みまたは訓読みにより平仮名（または片仮名）により表記できるし、外来語も同様であるので、基本的には有限個の文字要素によって単語が表記可能な言語である。
【００１３】  また、中国語の場合、ピンインで表記可能であり、あるいは漢字表記で考えても単語は複数の偏（へん）や旁（つくり）といった部首で表記可能な漢字から構成されているし、ハングルも有限個のハングル文字の組み合わせで表記可能である。基本的にはすべての自然言語は「単語が有限の文字要素で表記可能な言語」に該当する。
【００１４】  「前記文字要素からなる複数の単語を一定の基準で順序づけて配置した辞書」とはそのような言語におけるいわゆる「辞書」である。ここで「一定の基準で順序づけて」とは、例えば、英語の辞書で言えば、アルファベット順に並べたことを指し、日本語の辞書で言えば、五十音順に並べたことを指す。但し、慣用されている基準とは異なる基準で順序づける場合も含まれる。
【００１５】  「語頭の文字要素が所定の条件を満たす単語の集合」とは、典型例は、通常の辞書でインデックスタグが同一である単語の集合である。例えば、英語の辞書で言えば、語頭の文字が同じアルファベットである（つまり、ある英文字で始まる）単語の集合を指し、日本語の辞書で言えば、語頭の文字が同じ平仮名である（つまり、ある平仮名で始まる）単語の集合を指す。
【００１６】  但し、慣用されている基準とは異なる条件も含まれる。例えば、英語の辞書で言えば、「Ａで始まる集合」、「Ｂで始まる集合」のように語頭が単純に同じ文字の他、「ＡまたはＢで始まる集合」、「ＣまたはＤで始まる集合」、「Ｘ、Ｙ、Ｚのいずれかで始まる集合」のような語頭文字の特定の複数文字のうちのひとつがであってもよい。実際に辞書によっては、インデックスタグとして、このような構成を採るものも存在する。英語などのアルファベットを使用する言語では、母音字基準で分割することも可能であり、そのような分割が好ましい。母音字基準については後述する。
【００１７】  日本語の辞書であれば、「あで始まる集合」、「いで始まる集合」のように、語頭が単純に同じ文字の他、「わ、を、んのいずれかで始まる集合」のようなものが含まれてもよい。
【００１８】  但し、以下では説明の単純化のために、「Ａで始まる集合」、「Ｂで始まる集合」のように、語頭が単純に同じ文字で構成されているケースを例に採って説明する。
【００１９】  このような集合を「検索容易な部分集合に分割する」とは、典型的には、辞書において同一のインデックスタグに含まれる単語の集合を、複数の部分集合に分割することを意味する。例えば、図１の例では、「Ｉ」というインデックスタグに属する単語が語頭以下の複数の文字を基準として複数の部分集合に分割されている。
【００２０】  「各部分集合の代表単語またはその部分」とは、図１で索引として挙げている文字列である。これらは辞書中に実在する単語でなくてもよい。「検索容易な部分集合に分割する」場合、「部分集合」の大きさが過大であると本発明の効果がなくなる。例えば、「Ａ」というインデックスタグに属する単語を”ａ”〜”ａｍ”で始まる単語と”ａｎ”以下で始まる単語に２分しても、「Ａ」というインデックスタグに属する単語を前半、後半に分割しただけのようなものであり本発明の効果が十分に発揮されない。また、あまりに細分化すると一覧性や検索性が低下してしまう。好ましくは、「検索容易な部分集合に分割する」とは各部分集合が全体（同一インデックスタグに属する単語の集合）を順次１０％づつ、より好ましくは順次５％づつ、さらに好ましくは順次３％づつ以内含むものになるような分割である。但し、このような分割割合は、利用対象者や利用場面によって異なる。例えば、現実の辞書と関連付ける場合は、辞書の各ページに対応する単語（またはその一部）を部分集合として用いれば、ほぼ、どのページにも代表単語を割り当てることができる。
【００２１】  前記集合内における前記代表単語の存在位置を一覧表示するとは、図１に示すように、各代表単語が同一インデックスタグに属する単語の集合の中で初めから何％以内に含まれるかを示したり、紙書籍形態の辞書において、何ページに存在するかを示すものである。％表示は数字で示す態様も、グラフィカルに示す態様も、両者の組み合わせも含まれる。グラフィカルに示す態様は様々な表記が可能であるが、例えば、１００％を表わすバーを基準として示しそのうちの何％かを色分けする、１００％を表わす箱を基準として示しそのうちの何％かを塗りつぶす、などがあり得る。
【００２２】  前記分割は、好ましくは母音字基準で行われるものを含む。ここで、母音字基準とは当該言語において自然な母音字として用いられる文字を基準とすることを指す。例えば、英語では、ａ、ｅ、ｉ、ｏ、ｕであり、フランス語のように、他の母音字を有する場合はそれを加えてもよい。日本語ではあ、い、う、え、おである。ドイツ語のようにウムラウトを含む場合は元の母音字の一部として扱ってもよいし、独立した母音字として扱ってもよい。英語の例で言えば、図２に示すようにａ、ｅ、ｉ、ｏ、ｕを基準として部分集合に分割する。図示するように、ａからｄ（ｅの直前の文字）までがａ群であり、ｅからｈ（ｉの直前の文字）までがｅ群であり、以下同様である。この分割は好ましくは多重的に行われる。例えば、図２においてｉを選択した場合、ｉから始まる単語の集合が選択されたことになるが、その単語における次の文字も母音字規準で部分集合に分割される。その一例を図３に示す。
【００２３】  どの言語においても母音字は存在するが（但し、アラビア語のように短母音を通常表記しない場合など、その扱いは様々である）、基本的にローマ字アルファベットを有する国では、母音字ａ、ｅ、ｉ、ｏ、ｕの順番がわかりやすく、また、ローマ字アルファベットでは、ａ、ｅ、ｉ、ｏ、ｕは、それぞれ最初から１、５、９、１５、２１文字目と位置が分散しているため、同一インデックスタグに属する単語の集合を比較的均等に分割できる。このため、各集合に属する単語数もバラつきがある程度抑えられ、索引語にない索引語間の単語も見つけやすい。また、中国語等、音韻的な要素としては非常に多くの母音がある場合でも、学習者はａ、ｅ、ｉ、ｏ、ｕを頼りとすれば、ピンインに慣れていない場合でも辞書を引きやすい。母音字基準は、ちょうど座標の横軸のように、索引の少なくとも上部に表示される。また、この際、通常、数千ページの辞書であっても、ページ数の下２桁かわかりやすく表示されていれば、当該ページにたどり着くのは容易である。
【００２４】  もっとも、分割は母音字基準に限定されるものではない。例えば、英語等、欧州系言語の辞書では
・辞書固有の太字、赤字、＊印が付されている単語等の重要単語
・接頭辞
・辞書のページ占有数の多い単語
・索引アクセス精度を上げるためページ収束性が高い索引語（どのページにあるか見分けやすい）
を基準に用いることも可能である。また、ピンインのように本来の言語における表記とは異なるものを音韻によって表音表記する場合は音韻リストを補助的に用いてより自然に表示できるようにしてもよい。
【００２５】  また、それぞれの言語に応じた基準を有してもよい。例えば、日本語では、あ、か、さ、た、な等の「子音＋母音」を基準とすることができる。
【００２６】  より具体的に、「検索容易な部分集合に分割する」ステップと「各部分集合の代表単語またはその部分」の選択方法について述べれば以下の通りである。
まず、「検索容易な部分集合に分割する」ためには、その辞書に含まれる総単語数に応じて適当な文字要素の数を設定し、語頭からその数以内の文字列をインデックスとして用いた連想配列ｓｃａｎ＿ｗｏｒｄを設定し、各配列要素の値には辞書中での頁数を入れる。頁数が同じであるということは同一頁にあるということである。また、前記の文字列をインデックスとして用いた別の連想配列として、辞書に現れる最初の頁数ｐａｇｅ＿ｆｉｒｓｔ、最後の頁数ｐａｇｅ＿ｌａｓｔ、その差ｃｏｎｖｅｒｇｅｎｃｅ等を設定する。ある文字列についてｃｏｎｖｅｒｇｅｎｃｅの値が０ということはその文字列がひとつの頁にしか現れないということである。
ｃｏｎｖｅｒｇｅｎｃｅの値が小さい文字列を選択すれば検索目的とする単語に到達するために辞書を繰る手間は最小になるが、そのような文字列を多数選択すると索引の一覧性が悪くなる。また、索引語を選ぶためにはｃｏｎｖｅｒｇｅｎｃｅの値が大きい文字列も選択する必要がある。
このような索引は、紙書籍辞書の一部として、またはその付録とすることもできる。例えば、英語の辞書であれば、インデックスタグごとの冒頭ページに挿入する。
【００２７】  辞書を引く者は、まず、この索引を参照する。例えば、”ｉｎｖｅｎｔｉｏｎ”を検索する場合、インデックスタグ”Ｉ”の冒頭ページに挿入された”Ｉ”の索引を参照する。この場合、”ｎ”は文字としては母音字”ｏ”の直前であるから、索引上部に設けられた母音字基準座標で言えば、母音字”ｉ”の最後の方に位置することは容易に想像できる。実際、その位置を探すと接頭辞”ｉｎ”で始まる代表文字がいくつか記載されているので、それを頼りとして”ｉｎｖｅｎｔｉｏｎ”がインデックスタグ”Ｉ”の文字集合のうちの最初からｘ％の位置にあること、そのページ数はｙページであることがわかるので、瞬時に必要なページに到達できる。
【００２８】  本発明の第二の態様はこのように、本発明の索引を含む辞書に関する。索引は上述のように紙片として提供されるものであってもよいし、例えば、電子辞書またはアプリとして提供されるものでもよい。
【００２９】  紙片の集積である紙書籍の辞書の場合、前記部分集合の要素に対応する表示を小口及び／または小口近傍の紙面に設けることが好ましい。
【００３０】  電子辞書またはアプリとしての態様は少なくとも２つの形態を含み得る。
第一は紙片の単純な代替物として画面表示をするものである。つまり、ユーザーは、まず、所望の辞書についての索引データをダウンロードし、これを携帯端末やタブレット等、ＰＣ等の画面に表示させることで、紙書籍辞書の索引として利用する。
【００３１】  第二は入力インターフェースとして機能するものである。例えば、”ｉｎｖｅｎｔｉｏｎ”を検索する場合、従来であれば、”ｉｎｖｅｎｔｉｏｎ”と９文字を入力する必要があったが、本発明では、最初にインデックスタグ”Ａ”〜”Ｚ”またはこれを母音字座標化した表（図２）が表示される。そこで、”Ｉ”をクリックないしタッチ／タップすると、インデックスタグ”Ｉ”に相当する本発明の索引が表示される（図１）。そこには”ｉｎｖ”が代表単語として挙げられているので、これをクリックないしタッチ／タップすると、”ｉｎｖ”を代表単語とする部分集合の単語が一覧表示されるので、その中から”ｉｎｖｅｎｔｉｏｎ”を選んでクリックないしタッチ／タップすると”ｉｎｖｅｎｔｉｏｎ”が入力されたことになる。その際に、文字列の選択がしやすいようにマウスまたは指先が近づいた文字列が拡大するようにしてもよい。
【００３２】  あるいは、スケールを表示し、そのスケール上でマウスまたは指先を動かすとその位置に相当する単語が表示されるようにしてもよい。また、画面上においてその文字列や単語にタップしたり手や指を操作するとその部分の発音または文字列が発音されるようにしてもよい。これにより視覚障がい者でも、辞書の検索が容易になるし、中国語のように音韻とその表記との対応が容易にはわかりにくい場合でも発音のチェックが容易である。
【００３３】  あるいは、母音字座標化した表（図２）において、最初の２文字（ＩとＮ）を順次タップすることにより、ｉｎで始まる索引（図３）を表示してもよい。ここでは図１の索引よりもより詳細な代表語が掲げられているので、その中から”ｉｎｖｅｎ”までを含む単語を選択してタップすれば、より短いステップで”ｉｎｖｅｎｔｉｏｎ”に到達できる。また、例えば、図４に示すように、ある部分集合の見出し（前述の意味での代表単語、ここではｉｎｉ）にタップしたりマウスオンした場合、その部分集合内のあり得る他の代表単語群（ｉｎｊ、ｉｎｋ、ｉｎｌ、ｉｎｍ）がブルダウンメニューのように「拡張」表示される。そこでｉｎｊをタップしたりマウスオンした場合、ｉｎｊ‐部分集合が母音字基準でさらに分割されてポップアップ表示される。そして、ｉｎｊｅをタップしたりマウスオンした場合、ｉｎｊｅ‐部分集合が母音字基準でさらに分割されてポップアップ表示される。この過程のいずれかの段階で、選択されている文字列をスクロール可能な表示としてもよい（図中の最右欄の丸数字１）。あるいは、候補となる単語をスクロール可能な表示としてもよい（図４の最右欄の丸数字２）。
【００３４】  この態様では、ユーザーは画面をクリックないしタッチ／タップするだけであるので文字入力の必要が全くない。このため、文字入力ができないようなケース、例えば、ユーザーが高齢者や病人である場合や、ユーザーが文字を書けないような場合（例えば、タイ語に不慣れな日本人がタイ語を検索したい場合等）においても有効なユーザーインターフェースとして用いることができる。また、ウェラブルな電子端末（例えば、時計や眼鏡の形態を有するもの）においては文字入力自体が困難であるが、本発明の索引を含むアプリであれば、ウェラブルな電子端末の画面や端末操作と関連付けられた動作（例えば、指同士のタッピングなど指と身体のいずれかの部分との接触や空中にバーチャルな辞書を出現させてそこにタップするなど）により文字列の入力を簡単に行うことができる。この際、母音字基準であるので、その言語のネイティブにとっては自然に、他言語の習得者にとっても比較的容易に入力が可能である。
【００３５】  この態様に用いる装置は、例えば、ユーザー視線追尾手段、ユーザーに対し単語検索のための索引を提示する手段（以下、索引提示手段という）、ユーザーの選択を受領・確定する手段（以下、確定手段という）を含む。
【００３６】  ユーザー視線追尾手段は、例えば、パソコンやタブレット、携帯端末のディスプレイもしくはその近傍、時計等の表面あるいは眼鏡状ウェラブル装置の枠体等に取り付けられ、ユーザーの眼球の動きを捕捉する手段である。例えば、瞳孔の位置を可視光線や赤外線等を照射したり自然光の反射により把握し、その動きを追尾することにより視線方向を解析するものであり、これは既存の技術として確立されている。
【００３７】  索引提示手段はパソコンやタブレット、携帯端末のディスプレイ、時計等の表面あるいは眼鏡状ウェラブル装置のガラスレンズ等に設けられるものであり、ユーザーが認識できるものであればよい。
【００３８】  確定手段は、様々な態様を含むが、例えば、一定時間以上の瞬き、発声、手指の動きその他の身体の挙動を認識する手段とそれを索引提示手段の表示にフィードバックする制御手段を含む。
【００３９】  なお、上述のように、母音字座標化した表（図２）において、複数文字（例えば、２文字（ＩとＮ））を入力するステップを含むことも可能である。すなわち、図２には英字アルファベットのすべての文字が含まれているので最初からｉとｎを入力してもよい（図５）。ここでの入力はキーボードからの入力でもよいし、上述のようなキーボード以外による入力でもよい。これによりｉｎで始まる単語の過去の履歴から表示してもよいし（図５のヒストリーボックス）、それに代えて、あるいはそれと同時に、ｉｎで始まる母音字基準の部分集合を索引として提示してもよい。また、母音字座標化した表（図２）において、方向により次文字を選択するようにしてもよい。例えば、図６ではｉを選択した後、そのまま上方向に指や視線を移動することで、ｉｕ‐部分集合が選択される。左ではｉｉ‐部分集合が選択される。これにより、スマートフォンの一部で可能なフリック入力のようなかたちで複数文字の入力が可能であり、これはａｏｉｕｅという５文字の母音字基準で単語を分割する場合には非常に大きな利点をもたらす。
【００４０】実施例
実施例１
図１と同様の表示がタブレット端末上に表記できるようにして本発明を使用した（図４）。
すなわち、画面１では、ａ〜ｚまでの文字が表示され、画面２では（一覧性を高めるため）階層ごとの文字列を表示させた。例えば、ｉｎｊｅｃｔｉｏｎを検索または入力しようという例では、操作者はまず、画面０でｉをタップする。すると、画面１に遷移し、上部にｉａ、ｉｅ、ｉｉ、ｉｏ及びｉｕが表示され、ｉｉの下にはｉｊ、ｉｋ、ｉｌ、ｉｍ、ｉｎの文字が示され、この部分集合にはｉｉ〜ｉｎまでが含まれることが示される。ここで、指を下の文字列にずらしていくと、画面が遷移し、ｉｎ以下の文字列が表示される。なお、文字入力システムとして使用する場合、ページ数や％バーは表示しなくてもよい。
ｉｎｊｅｃｔｉｏｎの場合、ｉｎｉをタップすると画面遷移し、ｉｎｉ以下の文字列が表示される。ここでｉｎｊをタップすると、画面遷移しｉｎｊで始まる単語がリスト表示されるので、操作者はその中からｉｎｊｅｃｔｉｏｎを選択する。
この結果、各画面で１回ずつタップすればよいのでｉｎｊｅｃｔｉｏｎと入力するよりも少ないタッチで入力できる。すなわち、タップ数最少３回（ｉ＝＞ｉｎｊ＝＞ｉｎｊｅｃｔｉｏｎ）でｉｎｊｅｃｔｉｏｎの検索・入力が可能になる。これは健常者にとっても効率的であるし、キーボード入力に慣れていない者や身体的に入力作業に困難がある者にとっても有効な検索・入力方法である。
【００４１】実施例２
実施例１においてタップ時にその文字が音声で読み上げられるようにした。例えば、画面１では、ａ〜ｚまでの文字が表示され、画面を指でなぞって行くと文字上に指があるときはその文字が読み上げられる。例えば、ｉの上に指があるときはｉが発音される。ここで、いったん指を離しｉをタップするか、ｉを長押しするか深押しすることによりｉが選択され、実施例１と同様に画面の遷移が進行する。但し、タップ時にその文字が音声で読み上げられる。例えば、ｉｎｖをタップした場合はアイエヌヴィまたはインヴと読み上げられる。これにより、視力障がい者でも容易にｉｎｖｅｎｔｉｏｎの検索・入力ができる。視線追尾センサーを用いて指の動きに代えて視線を用いてもよく、タップ等の代わりに瞬き等や発話その他のシグナルを用いることも可能であり、これにより、ＡＬＳ（筋萎縮性側索硬化症）のように身体の不自由な疾病に罹患した患者でも容易に検索・入力ができる。
【００４２】実施例３
実施例１においてスクリーン表示が空間上に仮想的に表示されるようにした。この空間上には手や指も表示される。例えば、画面１では、ａ〜ｚまでの文字が表示され、仮想的画面を手や指でなぞって行くことができる。文字上に手や指があるときはその文字が読み上げられるようにしてもよい（例えば、ｉの上に手や指があるときはｉが発音される）。ここで、いったん手や指を離しｉを仮想的にタップするか、ｉを長押しするか丸く囲むことによりｉが選択され、実施例１と同様に画面の遷移が進行する。上記と同様にタップ時にその文字が音声で読み上げられるようにしてもよい（例えば、ｉｎｖを仮想タップ等した場合はアイエヌヴィまたはインヴと読み上げられる）。これにより、仮想空間でも容易にｉｎｖｅｎｔｉｏｎの検索・入力ができるし、視力障がい者でもこのシステムを利用するのは容易である。また、指の動きに代えて視線を用いてもよく、タップ等の代わりに瞬き等や発話その他のシグナルを用いることも可能であり、これにより、ＡＬＳのように身体の不自由な疾病に罹患した患者でも容易に仮想空間上での検索・入力ができる。
【００４３】実施例４
英単語が一定時間内にいくつ検索できるかを従来の辞書のみを用いた場合と、本発明の索引を利用して同じ辞書を調べる場合とで比較した。実験は２つの高年齢者グループが索引検索と従来検索の両方式で行ないグラフ（図７）に示す。このグラフからわかるように、本発明の索引は未習熟でも容易に利用可能であり、利用を繰り返すと習熟度が向上する。
【００４４】実施例５
英語以外の言語における索引として日本語、中国語の例を図８及び図９に示す。
【図１】
2018081659.tif 000003
【図２】
2018081659.tif 000004
【図３】
2018081659.tif 000005
【図４】
2018081659.tif 000006
【図５】
2018081659.tif 000007
【図６】
2018081659.tif 000008
【図７】
2018081659.tif 000009
【図８】
2018081659.tif 000010
【図９】
2018081659.tif 000011